(57)【特許請求の範囲】
【請求項１】
径方向内外に同心状に配設される内輪体と外輪体とを同期回転させるロック状態と相対回転させるフリー状態とに切り換えるために、前記内輪体と前記外輪体との両部材の対向周面のうち、一方の部材の周面には他方の部材の周面と協働して複数のくさび状空間を周方向に所定間隔を隔てて形成するカム面が形成され、
前記複数のくさび空間には、これと同数のローラと、これら各ローラを前記くさび状空間に噛み込むロック方向に個別に付勢するコイルばねとが保持器のポケットに収納された状態で配設され、
前記一方の部材の前記カム面の周方向一側にはトルクリミット用凹部が形成され、前記内輪体と前記外輪体との間に所定値以上のトルクが作用したときに、前記ローラが前記カム面を乗り越えて転動し前記トルクリミット用凹部内に受け入れられることで前記内輪体と前記外輪体とのトルク伝達を遮断するトルクリミッター付き一方向クラッチであって、
前記カム面及び前記トルクリミット用凹部がそれぞれ形成される一方の部材の周面に対向する前記保持器の周面には、前記トルクリミット用凹部の一側面に当接することで前記保持器のフリー方向への回動を阻止して前記コイルばねの反力を受ける係合突起が突設される一方、
前記トルクリミット用凹部は、前記カム面上から前記トルクリミット用凹部内に配置されたときの前記ローラの内輪体に対するころがり公転角度に対応して前記係合突起が移動可能な形状に形成されることで、前記ローラの公転角度に対応して前記保持器のロック方向への回動が許容されることを特徴とするトルクリミッター付き一方向クラッチ。
【発明の詳細な説明】
【技術分野】
【０００１】
この発明は、径方向内外に同心状に配設される内輪体と外輪体とを同期回転させるロック状態と相対回転させるフリー状態とに切り換える一方向クラッチにおいて、所定値以上のトルクが作用したときにトルク伝達を遮断するトルクリミッター付き一方向クラッチに関する。
【背景技術】
【０００２】
一方向クラッチにおいては、例えば、エンジン補機（空調用圧縮機、オルタネータ、ウオーターポンプ、冷却ファン等）に使用されるプーリユニットに組み付けられる場合がある。
例えば、エンジン補機が空調用圧縮機である場合、エンジンのクランクシャフトのトルクが伝達される伝動ベルトが掛け渡されるプーリと、空調用圧縮機の回転軸との間に一方向クラッチが配設され、プーリから回転軸へトルクを伝達させたり遮断させることによってエンジンの回転変動を吸収するようになっている。
また、プーリから回転軸へ所定値以上のトルクが作用したときにトルク伝達を遮断するトルクリミッター付き一方向クラッチが知られている（例えば、特許文献１参照）。
特許文献１に開示されたようなトルクリミッター付き一方向クラッチにおいては、図６に示すように、一方向クラッチの外輪体１４１と内輪体１４２との対向周面のうち、一方の周面、例えば、内輪体１４２の外周面に外輪体１４１の内周面と協働して複数のくさび状空間を周方向に所定間隔を隔てて形成するカム面１４３が形成されている。
また、複数のくさび空間には、これと同数のローラ１６１と、これら各ローラ１６１をくさび状空間に噛み込むロック方向に個別に付勢するコイルばね１６０とが保持器１５０のポケットに収納された状態で配設されている。
また、カム面１４３の周方向一側に隣接してトルクリミット用凹部１４６が形成され、外輪体１４１と内輪体１４２との間に所定値以上のトルクが作用したときに、ローラ１６１がカム面１４３の一側を乗り越えて転動しトルクリミット用凹部１４６内に受け入れられることで外輪体１４１と内輪体１４２とのトルク伝達を遮断するようになっている。
【特許文献１】特開２００２−１０６６０８号公報
【発明の開示】
【発明が解決しようとする課題】
【０００３】
ところで、図６に示すような従来のトルクリミッター付き一方向クラッチにおいては、内輪体１４２に対し保持器１５０を回り止めするために、内輪体１４２の外周面のカム面４３と軸方向に変位した位置に面取り部を形成し、この面取り部に対向する位置において、保持器１５０の内周面に、面取り部に係合可能な係合部を形成しなければならない。
また、外輪体１４１と内輪体１４２との間に所定値以上のトルクが作用し、ローラ１６１がカム面１４３を乗り越えて転動しトルクリミット用凹部１４６内に受け入れられる際、ローラ１６１が保持器１５０の柱部１５２の一側面に当たりながらトルクリミット用凹部１４６内に転動する。このため、内輪体１４２に対し保持器１５０がフリー方向及びロック方向の両方向に回り止めされていると、保持器１５０が変形されて損傷される恐れがある。
保持器１５０の変形を回避するため、保持器１５０のフリー方向への回動は阻止し、ロック方向への回動を所定角度の範囲において許容する構造にしなければならなず、構造が複雑化し、内輪体１４２や保持器１５０の製作が厄介となり、コスト高となる。
【０００４】
この発明の目的は、前記問題点に鑑み、簡単な構造によって保持器のフリー方向への回動を阻止してコイルばねの反力を受け、ロック方向への回動は所定角度の範囲において許容することができるトルクリミッター付き一方向クラッチを提供することである。
【課題を解決するための手段】
【０００５】
前記目的を達成するために、この発明の請求項１に係るトルクリミッター付き一方向クラッチは、径方向内外に同心状に配設される内輪体と外輪体とを同期回転させるロック状態と相対回転させるフリー状態とに切り換えるために、前記内輪体と前記外輪体との両部材の対向周面のうち、一方の部材の周面には他方の部材の周面と協働して複数のくさび状空間を周方向に所定間隔を隔てて形成するカム面が形成され、
前記複数のくさび空間には、これと同数のローラと、これら各ローラを前記くさび状空間に噛み込むロック方向に個別に付勢するコイルばねとが保持器のポケットに収納された状態で配設され、
前記一方の部材の前記カム面の周方向一側にはトルクリミット用凹部が形成され、前記内輪体と前記外輪体との間に所定値以上のトルクが作用したときに、前記ローラが前記カム面を乗り越えて転動し前記トルクリミット用凹部内に受け入れられることで前記内輪体と前記外輪体とのトルク伝達を遮断するトルクリミッター付き一方向クラッチであって、
前記カム面及び前記トルクリミット用凹部がそれぞれ形成される一方の部材の周面に対向する前記保持器の周面には、前記トルクリミット用凹部の一側面に当接することで前記保持器のフリー方向への回動を阻止して前記コイルばねの反力を受ける係合突起が突設される一方、
前記トルクリミット用凹部は、前記カム面上から前記トルクリミット用凹部内に配置されたときの前記ローラの内輪体に対するころがり公転角度に対応して前記係合突起が移動可能な形状に形成されることで、前記ローラの公転角度に対応して前記保持器のロック方向への回動が許容されることを特徴とする。
【０００６】
前記構成によると、保持器の周面の係合突起がトルクリミット用凹部の一側面に当接することで保持器のフリー方向への回動を阻止してコイルばねの反力を受けることができる。
内輪体と外輪体との間に所定値以上のトルクが作用したときには、ローラがカム面を乗り越えて転動しトルクリミット用凹部内に受け入れられる。これによって、内輪体と外輪体とのトルク伝達が遮断される。
この際、保持器のポケットを区画形成している柱部の一側面にローラが当たった状態でローラがトルクリミット用凹部内に転動される。すると、ローラの変位角度に相当する角度において、保持器の係合突起がトルクリミット用凹部内を移動すると共に、保持器がロック方向へ回動される。このため、保持器の変形や損傷を防止することができる。
【発明を実施するための最良の形態】
【０００７】
次に、この発明を実施するための最良の形態を実施例にしたがって説明する。
【実施例】
【０００８】
（実施例１）
この発明の実施例１を図１〜図５にしたがって説明する。
図１はこの発明の実施例１に係るトルクリミッター付き一方向クラッチを備えたプーリユニットを示す側断面図である。図２はトルクリミッター付き一方向クラッチの横断面図である。図３は保持器のポケットにローラ及びコイルばねが収納された状態を拡大して示す平面図である。図４は保持器のポケットにローラ及びコイルばねが収納された状態を拡大して示す横断面図である。図５はローラがトルクリミット用凹部に配置された状態を示す説明図である。
【０００９】
図１に示すように、この実施例１に係る一方向クラッチ４０を備えたプーリユニット１０は、車載エンジンのエンジン補機の一つである圧縮機１に使用される場合を例示するものであり、圧縮機１のケーシング２の一側から一体に突出された突出筒部３と、この突出筒部３の中心に同心上をなして回転可能に組み付けられた圧縮機１の回転軸４との間に跨って組み付けられると共に、プーリ１１、複列の転がり軸受２０、環状部材３０及び一方向クラッチ４０を備える。
【００１０】
プーリ１１は、突出筒部３の外周に同心上に配設される円筒状に形成され、その一端部内周には環状端板１１ａが一体に形成されている。この環状端板１１ａの内側面には、突出筒部３の外周面との間に転がり軸受２０を組み付けるための第１環状空間と、プーリ１１の内周面との間に一方向クラッチ４０を組み付けるための第２環状空間を構成する筒状体１３が一体状に形成されている。
また、プーリ１１の外周面には伝動ベルト１８が掛け渡される断面波形状のベルト溝１２が形成されている。なお、伝動ベルト１８は、車載エンジンのクランクシャフトのプーリに掛け渡され、クランクシャフトのトルクをプーリ１１に伝達するようになっている。
【００１１】
複列の転がり軸受２０は、外輪２１と、内輪２２と、これら外輪２１と内輪２２の間にそれぞれ保持器２５、２６によって保持された状態で複列をなして転動可能に配設された各複数個の玉２３、２４とを備えている。
そして、複列の転がり軸受２０は、その内輪２２が圧縮機１側の突出筒部３の外周面に圧入され、かつ止め輪２７によって抜け止めされる一方、外輪２１がプーリ１１側の筒状体１３の内周面に圧入されて取り付けられている。
【００１２】
図１と図２に示すように、一方向クラッチ４０は、外輪体４１、内輪体４２、複数のローラ６１、コイルばね６０、及び保持器５０を備えている。
そして、一方向クラッチ４０は、その内輪体４２がプーリ１１側の筒状体１３の外周面に圧入され、かつ止め輪２８によって抜け止めされている。
一方、圧縮機１側の回転軸４の端部寄り外周面には、環状部材３０がその中心部に形成されたボス部３１においてトルク伝達可能に嵌挿され、回転軸４の軸端部から一体同心に突出された雄ネジ部にナット５が締め付けられることによって、環状部材３０のボス部３１が固定されている。そして、一方向クラッチ４０の外輪体４１は、環状部材３０の外周部に適宜の連結部材によってトルク伝達可能に連結されている。これによって、プーリ１１側からのトルクが、一方向クラッチ４０と環状部材３０を介して圧縮機１側の回転軸４に伝達されるようになっている。
【００１３】
すなわち、図２〜図４に示すように、一方向クラッチ４０の外輪体４１と、内輪体４２との対向周面の間には複数（図２では６個）のくさび状空間が周方向に所定間隔を隔てて形成され、これら複数のくさび空間には、これと同数のローラ６１と、これら各ローラ６１をロック方向（くさび空間の狭い側）に個別に付勢するコイルばね６０とが保持器５０の各ポケット５１に収納された状態でそれぞれ配設されている。
この実施例１において、外輪体４１と、内輪体４２との対向周面の間に複数（図２では６個）のくさび状空間を周方向に所定間隔を隔てて形成するための平坦面（又は曲面）のカム面４３が内輪体４２の外周面の周方向に所定間隔を隔てて形成される一方、外輪体４１の内周面は円形をなしている。
【００１４】
図２と図４に示すように、内輪体４２の各カム面４３の周方向一側には、トルクリミット用凹部４６が所要の深さをもって形成されている。そして、外輪体４１と内輪体４２との間に所定値以上のトルクが作用したときには、ローラ６１がカム面４３を乗り越えて転動しトルクリミット用凹部４６内に受け入れられて配置されることで、外輪体４１と、内輪体４２との間に対するローラ６１の噛み込みが不能となり、外輪体４１と内輪体４２とのトルク伝達を遮断するようになっている。
【００１５】
保持器５０は合成樹脂材の射出成形によって一体に円筒状に形成され、その周方向には複数のポケット５１と、これらポケット５１を区画する柱部５２とが交互に形成されている。そして、保持器５０は内輪体４２の外周面に嵌合されている。
保持器５０の各柱部５２の一側面（くさび空間の狭い側に対向する面）には、コイルばね４５の基端巻回部が嵌挿される突起５３が突設されている。
【００１６】
コイルばね６０は、ばね線材が楕円形状、矩形形状等に巻回されて形成され、柱部５２の突起５３の根元部をばね座としてコイルばね６０の基端巻回部が突起５３に嵌挿されて支持された状態で先端巻回部がローラ６１の外周面に当接している。そして、コイルばね６０はローラ６１をくさび状空間の狭い側（ロック状態となる側）に弾発付勢している（図４参照）。
【００１７】
図２と図４に示すように、内輪体４２の外周面に対向する保持器５０の内周面には、トルクリミット用凹部４６の一側面４７に当接することで保持器５０のフリー方向への回動を阻止してコイルばね６０の反力を受ける係合突起５５が突設されている。
一方、トルクリミット用凹部４６は、カム面４３上からトルクリミット用凹部４６内に配置されたときのローラ６１の内輪体４２に対するころがり公転角度に対応して係合突起５５が移動可能な略円弧形状に形成されている。これによって、ローラ６１の公転角度に対応して保持器５０のロック方向への回動が許容されるようになっている。なお、ローラ６１の内輪体４２に対するころがり公転角度は、カム面４３上からトルクリミット用凹部４６内へのローラ変位角度に相当する。
【００１８】
また、この実施例１において、図１に示すように、トルクリミッター付き一方向クラッチ４０の外輪体４１と内輪体４２との間の環状空間内には、保持器５０の片側に位置して転がり軸受７０を構成する複数の玉７１が保持器７２によって保持された状態で転動可能に配設されている。
そして、ローラ６１がトルクリミット用凹部４６内に配置されたときに、転がり軸受７０によって、外輪体４１と内輪体４２とを同心上に保持するようになっている。
【００１９】
この実施例１に係るトルクリミッター付き一方向クラッチ４０を備えたプーリユニット１０は上述したように構成される。
したがって、エンジンの作動時において、クランクシャフトのトルクが伝動ベルト１８によってプーリ１１に伝達されると、プーリ１１と一体に回転する筒状体１３と共に、トルクリミッター付き一方向クラッチ４０の内輪体４２が回転される。この内輪体４２のトルクは、ローラ６１によって外輪体４１に伝達され、外輪体４１と一体に回転する環状部材３０によって圧縮機１の回転軸４にトルク伝達されて回転軸４が回転される。
すなわち、エンジンの作動時において、プーリ１１の回転速度が回転軸４の回転速度よりも速いときには、トルクリミッター付き一方向クラッチ４０がロック状態となるので、回転軸４はプーリ１１と一体回転する。
また、プーリ１１の回転速度が回転軸４の回転速度よりも遅くなると、トルクリミッター付き一方向クラッチ４０のローラ６１がロック位置から外れてくさび状空間の広い側へ移動してフリー状態に切替わる。これにより、プーリ１１の回転変動が吸収される。
【００２０】
圧縮機１の回転軸４に焼き付き等が生じて回転軸４がロック状態となった場合、外輪体４１と内輪体４２との間には所定値以上のトルク（負荷トルク）が作用する。
この場合、ローラ６１がカム面４３の一側を乗り越えて転動しトルクリミット用凹部４６内に受け入れられて配置される。そして、ローラ６１がトルクリミット用凹部４６内に配置されることによって、プーリ１１側から回転軸４へのトルク伝達が遮断される。
【００２１】
図４に示すように、保持器５０の内周面の係合突起５５は、トルクリミット用凹部４６の一側面４７に当接することで保持器５０のフリー方向への回動を阻止してコイルばね６０の反力を受ける。
また、トルクリミット用凹部４６は、カム面４３上からトルクリミット用凹部４６内に配置されたときのローラ６１の変位角度に対応して係合突起５５が移動可能な略円弧形状に形成されている。
このため、外輪体４１と内輪体４２との間に所定値以上のトルク（負荷トルク）が作用し、ローラ６１がカム面４３の一側を乗り越えてトルクリミット用凹部４６内に配置される際、ローラ６１が保持器５０の柱部５２の一側面に当たった後は、図５に示すように、ローラ６１と共に保持器５０が同方向（ロック方向）へ回動される。
前記したようにこの実施例１においては、保持器５０の内周面の係合突起５５と、内輪体４２の外周面のトルクリミット用凹部４６による簡単な構造によって、保持器５０のフリー方向への回動を阻止してコイルばね６０の反力を受け、ロック方向への回動は所定角度の範囲において許容することができ、保持器５０の変形や損傷を防止することができる。
【００２２】
なお、この発明は前記実施例１に限定するものではない。
例えば、前記実施例１においては、内輪体４２の外周面にカム面４３及びトルクリミット用凹部４６を形成して外輪体４１の内周面とカム面４３によってくさび状空間を形成したが、外輪体４１の内周面にカム面及びトルクリミット用凹部を形成してもこの発明を実施可能である。
但し、この場合、外輪体４１の内周面のトルクリミット用凹部に対応して保持器５０の外周面に係合突起が形成される。
【００２３】
また、前記実施例１においては、エンジン補機の一つである空調用圧縮機に対応するトルクリミッター付き一方向クラッチを備えたプーリユニットである場合を例示したが、オルタネータ、ウオーターポンプ、冷却ファン等のエンジン補機に対応するトルクリミッター付き一方向クラッチを備えたプーリユニット、あるいはプーリユニットに組み付けられるトルクリミッター付き一方向クラッチとして使用可能である。
【図面の簡単な説明】
【００２４】
【図１】この発明の実施例１に係るトルクリミッター付き一方向クラッチを備えたプーリユニットを示す側断面図である。
【図２】同じくトルクリミッター付き一方向クラッチの横断面図である。
【図３】同じく保持器のポケットにローラ及びコイルばねが収納された状態を拡大して示す平面図である。
【図４】同じく保持器のポケットにローラ及びコイルばねが収納された状態を拡大して示す横断面図である。
【図５】同じくローラがトルクリミット用凹部に配置された状態を示す説明図である。
【図６】従来のトルクリミッター付き一方向クラッチを示す断面図である。
【符号の説明】
【００２５】
１  圧縮機（エンジン補機）
２  ケーシング
３  突出筒部
４  回転軸
１０  プーリユニット
１１  プーリ
２０  複列の転がり軸受
４０  トルクリミッター付き一方向クラッチ
４１  外輪体
４２  内輪体
４３  カム面
４６  トルクリミット用凹部
５０  保持器
５２  柱部
５５  係合突起
６０  コイルばね
６１  ローラ
【図１】
0004900162.tif 000002
【図２】
0004900162.tif 000003
【図３】
0004900162.tif 000004
【図４】
0004900162.tif 000005
【図５】
0004900162.tif 000006
【図６】
0004900162.tif 000007